(57)【要約】【課題】  音楽データのダウンロードに応じて歌詞データのダウンロードが行われる、歌詞データダウンロード機能付き携帯端末装置を提供する。【解決手段】  開示される歌詞ダウンロード機能付き携帯端末装置は、基地局３０２を介してインターネット網３０４に接続可能な携帯端末機器３０１に、インターネット網を介して音楽データ格納サーバ３０５にアクセスし音楽データをダウンロードして保持する音楽データ取得手段と、ダウンロードされた音楽データの一部を解析して音楽データにおける曲名，歌手名等の関連情報を検出する関連情報検出手段と、インターネット網を介して予め指定されている歌詞データ格納サーバ３０６にアクセスし関連情報によって検索してダウンロードされた音楽データに対応する歌詞データをダウンロードする歌詞データ取得手段とを備えたものである。【選択図】      図３
2007058103.tif 000002
【特許請求の範囲】
【請求項１】
無線通信手段を介してインターネット網に接続可能な携帯端末装置であって、
前記インターネット網を介して音楽データ格納サーバにアクセスし音楽データをダウンロードして保持する音楽データ取得手段と、
前記ダウンロードされた音楽データの一部を解析して該音楽データにおける曲名，歌手名等の関連情報を検出する関連情報検出手段と、
インターネット網を介して予め指定されている歌詞データ格納サーバにアクセスし前記関連情報によって検索して前記ダウンロードされた音楽データに対応する歌詞データをダウンロードする歌詞データ取得手段とを備えたことを特徴とする歌詞ダウンロード機能付き携帯端末装置。
【請求項２】
前記歌詞データ取得手段において、前記音楽データのダウンロード前に、予め指定されている歌詞データ格納サーバから前記歌詞データを自動的にダウンロードするか、または歌詞データのダウンロードを行うか否かの確認を行ってからダウンロードするかを選択可能であることを特徴とする請求項１記載の歌詞ダウンロード機能付き携帯端末装置。
【請求項３】
前記予め指定された歌詞データ格納サーバが複数からなり、前記歌詞データ取得手段が、前記関連情報に基づいて自動的に順次検索することによって、対応する歌詞データを検出してダウンロードすることを特徴とする請求項１又は２記載の歌詞ダウンロード機能付き携帯端末装置。
【請求項４】
前記歌詞データ取得手段において、前記音楽データのダウンロード完了後直ちに、または後日、前記ダウンロードされた音楽データが演奏されて曲が確認された後に、歌詞データのダウンロードを行うか否かを選択可能であることを特徴とする請求項１乃至３のいずれか一記載の歌詞ダウンロード機能付き携帯端末装置。
【請求項５】
前記音楽データ取得手段において、ダウンロードされた音楽データを、内部メモリに保存することを特徴とする請求項１乃至４のいずれか一記載の歌詞ダウンロード機能付き携帯端末装置。
【請求項６】
前記音楽データ取得手段において、ダウンロードされた音楽データを、取り外し可能な外部メモリに保存することを特徴とする請求項１乃至４のいずれか一記載の歌詞ダウンロード機能付き携帯端末装置。
【請求項７】
前記音楽データ格納サーバと歌詞データ格納サーバとが同一のサーバであることを特徴とする請求項１乃至６のいずれか一記載の歌詞ダウンロード機能付き携帯端末装置。
【請求項８】
無線通信手段を介してインターネット網に接続可能な携帯端末装置であって、
前記インターネット網を介して映像データ格納サーバにアクセスし映像データをダウンロードして保持する映像データ取得手段と、
前記ダウンロードされた映像データの一部を解析して該映像データにおける曲名，歌手名等の関連情報を検出する関連情報検出手段と、
インターネット網を介して予め指定されている歌詞データ格納サーバにアクセスし前記関連情報によって検索して前記ダウンロードされた映像データに対応する歌詞データをダウンロードする歌詞データ取得手段とを備えたことを特徴とする歌詞ダウンロード機能付き携帯端末装置。
【請求項９】
前記映像データが、歌手のプロモーションビデオであることを特徴とする請求項８記載の歌詞ダウンロード機能付き携帯端末装置。
【請求項１０】
無線通信手段を介してインターネット網に接続可能な携帯端末装置であって、
前記インターネット網を介して音楽データ格納サーバにアクセスし音楽データをダウンロードして保持する音楽データ取得手段と、
前記ダウンロードされた音楽データの一部を解析して該音楽データにおける曲名，歌手名等の関連情報を検出する関連情報検出手段と、
インターネット網を介して予め指定されているプロフィールデータ格納サーバにアクセスし前記関連情報によって検索して前記ダウンロードされた音楽データに対応するプロフィール情報や収録アルバム等をダウンロードするプロフィールデータ取得手段とを備えたことを特徴とするプロフィールダウンロード機能付き携帯端末装置。
【請求項１１】
無線通信手段を介してインターネット網に接続可能な携帯端末装置であって、
前記インターネット網を介して第１のデータ格納サーバにアクセスし第１の種類のデータをダウンロードして保持する第１のデータ取得手段と、
前記ダウンロードされた第１の種類のデータの一部を解析して該第１の種類のデータに含まれる関連情報を検出する関連情報検出手段と、
インターネット網を介して予め指定されている第２のデータ格納サーバにアクセスし前記関連情報によって検索して前記ダウンロードされた第１の種類のデータに対応する第２の種類のデータをダウンロードする第２のデータ取得手段とを備えたことを特徴とするデータダウンロード機能付き携帯端末装置。
【発明の詳細な説明】
【技術分野】
【０００１】
この発明は、音楽データのダウンロードを行った際に、その音楽データの一部に格納されている曲名，歌手名等の情報に基づいて、自動的に、またはユーザの確認後に、歌詞データ格納サーバにアクセスして、当該音楽データに対応する歌詞データを検索してダウンロードすることが可能な、歌詞ダウンロード機能付き携帯端末装置に関する。
【背景技術】
【０００２】
従来の携帯端末機器においては、インターネット網を介して音楽データをダウンロードして再生を行うことが可能なものがある。この場合、ダウンロードされた音楽データは、携帯端末機器内のメモリ部に格納される。
この音楽データには、例えばＭＰ３ (MPEG-1 Audio Layer-3) フォーマットの場合、ＩＤ３タグに曲名，歌手名等のデータが含まれている。しかしながらＭＰ３等の音楽データ内に格納可能なテキスト情報には限りがあるため、音楽データには、通常、曲名および歌手名等の情報は含まれているが、歌詞のすべてを格納することはできず、そのため、一般には歌詞データは添付されていない。
【０００３】
しかしながら、携帯端末機器に音楽データをダウンロードし、再生して聴く場合には、その歌詞が携帯端末機器の表示部に表示されることが望ましい。
そこで、携帯端末機器に音楽データをダウンロードした際に、歌詞データを自動的にダウンロードして表示できるようにする機能が求められている。
【０００４】
これに対して特許文献１に開示されたメッセージ配信装置及び通信端末装置においては、携帯電話機等の通信端末装置がメッセージ配信装置にアクセスして配信されたカラオケコンテンツの一覧リストから、特定の曲名を選択してメッセージ配信装置へ送信することによって、メッセージ配信装置から曲名に対応する歌詞データの配信を受ける。そして、もとの歌詞データと置換すべき歌詞を作成するためのメッセージを作成して、他の携帯電話機の番号とメッセージとを含むデータをメッセージ配信装置へ送ると、メッセージ配信装置が、曲名に対応するカラオケコンテンツと、メッセージに基づいてもとの歌詞と置換された歌詞とを指定された携帯電話機へ送るので、他の携帯電話機では、曲名に対応するカラオケコンテンツが再生されるとともに、置換された歌詞が表示されるようにする技術が開示されている。
【０００５】
また、特許文献２に開示されたコンテンツ提供システム、コンテンツ提供装置、コンピュータプログラム及び記録媒体においては、コンテンツ提供装置が、楽曲情報と歌詞情報とからなる基本情報と、歌唱アドバイス情報等を含むオプション情報とを、通信回線を経て携帯端末装置へ送信するとともに、携帯端末装置において、基本情報を再生させる第１の再生状態と、基本情報とオプション情報とを再生させる第２の再生状態とのいずれかを選択させることによって、ユーザが第２の再生状態を選択した場合には、携帯端末装置において、新たなコンテンツとなるオプション情報が、基本情報とともに再生されるようにする技術が開示されている。
【０００６】
また、特許文献３に開示された情報処理装置、コンテンツ転送方法、および音楽再生装置においては、パソコン内の転送モジュールから音楽コンテンツを読み出し、転送アプリケーション内の抽出モジュールでタグ情報を抽出して、音楽コンテンツに付与されている歌手名と曲名を取得する。次に、抽出モジュールが、ネットワークを介してサーバにアクセスし、取得した歌手名データと曲名データを送信して、歌詞データ等の情報の取得を要求することによって入手した歌詞データ等を、オーディオプレーヤで扱えるフォーマットに変換してオーディオプレーヤに転送すると、オーディオプレーヤにおいて、音楽を再生しながら、再生中の音楽に対応する、転送された歌詞データを表示装置において表示できるようにする技術が開示されている。
【特許文献１】特開２００３−０６６９７６号公報
【特許文献２】特開２００３−０８４７７５号公報
【特許文献３】特開２００４−１１７６１８号公報
【発明の開示】
【発明が解決しようとする課題】
【０００７】
携帯端末機器に音楽データをダウンロードして利用する場合には、歌詞がその表示部に表示されることが望ましい。
そこで、携帯端末機器に音楽データをダウンロードした際に、歌詞データを自動的にダウンロードして表示することを可能にする機能が求められているが、従来、このような歌詞ダウンロード機能付き携帯端末装置は開発されていなかった。
【０００８】
この発明は上述の事情に鑑みてなされたものであって、携帯端末装置において、音楽データをダウンロードした際に、音楽データの一部に格納されている曲名，歌手名等の情報をもとに、歌詞データのダウンロードを行う場合に、歌詞データダウンロードを自動的に行うことができるとともに、歌詞データダウンロードの実行を、ユーザの確認を求めてから行うことも可能な、歌詞ダウンロード機能付き携帯端末装置を提供することを目的としている。
【課題を解決するための手段】
【０００９】
上記課題を解決するため、請求項１記載の発明は歌詞ダウンロード機能付き携帯端末装置に係り、無線通信手段を介してインターネット網に接続可能な携帯端末装置であって、上記インターネット網を介して音楽データ格納サーバにアクセスし音楽データをダウンロードして保持する音楽データ取得手段と、上記ダウンロードされた音楽データの一部を解析して該音楽データにおける曲名，歌手名等の関連情報を検出する関連情報検出手段と、インターネット網を介して予め指定されている歌詞データ格納サーバにアクセスし上記関連情報によって検索して上記ダウンロードされた音楽データに対応する歌詞データをダウンロードする歌詞データ取得手段とを備えたことを特徴としている。
【００１０】
また、請求項２記載の発明は、請求項１記載の歌詞ダウンロード機能付き携帯端末装置に係り、上記歌詞データ取得手段において、上記音楽データのダウンロード前に、予め指定されている歌詞データ格納サーバから上記歌詞データを自動的にダウンロードするか、または歌詞データのダウンロードを行うか否かの確認を行ってからダウンロードするかを選択可能であることを特徴としている。
【００１１】
また、請求項３記載の発明は、請求項１又は２記載の歌詞ダウンロード機能付き携帯端末装置に係り、上記予め指定された歌詞データ格納サーバが複数からなり、上記歌詞データ取得手段が、上記関連情報に基づいて自動的に順次検索することによって、対応する歌詞データを検出してダウンロードすることを特徴としている。
【００１２】
また、請求項４記載の発明は、請求項１乃至３のいずれか一記載の歌詞ダウンロード機能付き携帯端末装置に係り、上記歌詞データ取得手段において、上記音楽データのダウンロード完了後直ちに、または後日、上記ダウンロードされた音楽データが演奏されて曲が確認された後に、歌詞データのダウンロードを行うか否かを選択可能であることを特徴としている。
【００１３】
また、請求項５記載の発明は、請求項１乃至４のいずれか一記載の歌詞ダウンロード機能付き携帯端末装置に係り、上記音楽データ取得手段において、ダウンロードされた音楽データを、内部メモリに保存することを特徴としている。
【００１４】
また、請求項６記載の発明は、請求項１乃至４のいずれか一記載の歌詞ダウンロード機能付き携帯端末装置に係り、上記音楽データ取得手段において、ダウンロードされた音楽データを、取り外し可能な外部メモリに保存することを特徴としている。
【００１５】
また、請求項７記載の発明は、請求項１乃至６のいずれか一記載の歌詞ダウンロード機能付き携帯端末装置に係り、上記音楽データ格納サーバと歌詞データ格納サーバとが同一のサーバであることを特徴としている。
【００１６】
また、請求項８記載の発明は歌詞ダウンロード機能付き携帯端末装置に係り、無線通信手段を介してインターネット網に接続可能な携帯端末装置であって、上記インターネット網を介して映像データ格納サーバにアクセスし映像データをダウンロードして保持する映像データ取得手段と、上記ダウンロードされた映像データの一部を解析して該映像データにおける曲名，歌手名等の関連情報を検出する関連情報検出手段と、インターネット網を介して予め指定されている歌詞データ格納サーバにアクセスし上記関連情報によって検索して上記ダウンロードされた映像データに対応する歌詞データをダウンロードする歌詞データ取得手段とを備えたことを特徴としている。
【００１７】
また、請求項９記載の発明は、請求項８記載の歌詞ダウンロード機能付き携帯端末装置に係り、上記映像データが、歌手のプロモーションビデオであることを特徴としている。
【００１８】
また、請求項１０記載の発明はプロフィールダウンロード機能付き携帯端末装置に係り、無線通信手段を介してインターネット網に接続可能な携帯端末装置であって、上記インターネット網を介して音楽データ格納サーバにアクセスし音楽データをダウンロードして保持する音楽データ取得手段と、上記ダウンロードされた音楽データの一部を解析して該音楽データにおける曲名，歌手名等の関連情報を検出する関連情報検出手段と、インターネット網を介して予め指定されているプロフィールデータ格納サーバにアクセスし上記関連情報によって検索して上記ダウンロードされた音楽データに対応するプロフィール情報や収録アルバム等をダウンロードするプロフィールデータ取得手段とを備えたことを特徴としている。
【００１９】
また、請求項１１記載の発明はデータダウンロード機能付き携帯端末装置に係り、無線通信手段を介してインターネット網に接続可能な携帯端末装置であって、上記インターネット網を介して第１のデータ格納サーバにアクセスし第１の種類のデータをダウンロードして保持する第１のデータ取得手段と、上記ダウンロードされた第１の種類のデータの一部を解析して該第１の種類のデータに含まれる関連情報を検出する関連情報検出手段と、インターネット網を介して予め指定されている第２のデータ格納サーバにアクセスし上記関連情報によって検索して上記ダウンロードされた第１の種類のデータに対応する第２の種類のデータをダウンロードする第２のデータ取得手段とを備えたことを特徴としている。
【発明の効果】
【００２０】
この発明の歌詞ダウンロード機能付き携帯端末装置によれば、音楽データのダウンロードによって自動的に、またはダウンロードの要否の確認に応じて、歌詞データのダウンロードが行われるので、ユーザは、音楽データと同時に歌詞データを入手することができ、音楽鑑賞時の利便さと快適性とが向上する。
【発明を実施するための最良の形態】
【００２１】
無線通信手段を介してインターネット網に接続可能な携帯端末装置において、インターネット網を介して音楽データ格納サーバにアクセスし音楽データをダウンロードして保持する音楽データ取得手段と、ダウンロードされた音楽データの一部を解析して音楽データにおける曲名，歌手名等の関連情報を検出する関連情報検出手段と、インターネット網を介して予め指定されている歌詞データ格納サーバにアクセスし関連情報によって検索してダウンロードされた音楽データに対応する歌詞データをダウンロードする歌詞データ取得手段とを備える構成とする。
【実施例１】
【００２２】
図１は、本発明が適用される歌詞ダウンロード機能付き携帯端末装置の外観構成例を示す図、図２は、本発明が適用される歌詞ダウンロード機能付き携帯端末装置の電気的構成例を示すブロック図、図３は、本発明の第１実施例である歌詞ダウンロード機能付き携帯端末装置のシステム構成を示す図、図４は、本実施例の歌詞ダウンロード機能付き携帯端末装置の動作を説明するためのフローチャート、図５は、本実施例の歌詞データダウンロード機能付き携帯端末装置の、歌詞データダウンロード時における、ダウンロードの要否を確認するための表示部の表示例を示す図、図６は、本実施例の歌詞データダウンロード機能付き携帯端末装置において、ダウンロードした音楽を聴いて曲を確認した後に、歌詞データのダウンロードを行う場合の手続きを示す動作フローチャートである。
【００２３】
本発明が適用される歌詞ダウンロード機能付き携帯端末装置は、図１に例示されるように、表示部１０１と、キー入力部１０２と、ヒンジ部１０３とからなる、概略の外観構成を有している。
【００２４】
表示部１０１は、歌詞ダウンロード機能付き携帯端末装置が送受する、画像や文字等からなる情報を可視的に表示する。キー入力部１０２は、数字や文字および各種記号等を入力するための複数のキーを備えている。ヒンジ部１０３は蝶番構造からなり、表示部１０１とキー入力部１０２とを開閉可能に接続して、展開状態または折畳状態に保つ。
【００２５】
本発明が適用される歌詞ダウンロード機能付き携帯端末装置は、図２に例示されるように、無線部２０１と、中央処理装置（ＣＰＵ）２０２と、メモリ２０３と、表示部２０４と、キー入力部２０５と、スピーカ２０６と、イヤホン２０７と、アンテナ２０８とからなる、概略の内部構成を有している。
【００２６】
無線部２０１は、ＣＰＵ２０２で生成されたベースバンド信号からなる音声や文字等のデータを無線信号に変換してアンテナ２０８に出力し、アンテナ２０８で受信した無線信号を音声や文字等のベースバンド信号に変換してＣＰＵ２０２に入力する。ＣＰＵ２０２は、キー入力部２０５におけるキー操作に基づく各種制御データ入力に応じて、メモリ部２０３に保持されている所定のプログラムによって動作して、音声信号やキー入力情報とベースバンド信号との相互の変換を行うとともに、携帯端末装置の全体の動作を制御する機能を有する。
【００２７】
メモリ部２０３は、ＣＰＵ２０２が動作するためのプログラムを格納しているとともに、ＣＰＵ２０２の動作に伴って各種データを保持する。表示部２０４は、ＣＰＵ２０２の制御に応じて、送受信する数字や文字、画像等を可視的に表示する。キー入力部２０５は、テンキーや各種記号キー等を備え、キー操作に応じて数字や文字等の情報をＣＰＵ２０２へ入力する。スピーカ２０６，イヤホン２０７は、ＣＰＵ２０２から出力された受信音声データによって可聴音からなる音声を再生し、また装置動作に伴う各種音響的信号を再生する。アンテナ２０８は、無線部２０１と図示されない基地局との間で、無線信号の送受信を行う。
【００２８】
図３は、この例の歌詞ダウンロード機能付き携帯端末装置における、音楽データのダウンロードに基づく、歌詞データダウンロード動作時のシステム構成例を示したものであって、携帯端末機器３０１と、基地局３０２と、プロトコル変換器３０３と、インターネット網３０４と、音楽データ格納サーバ３０５と、歌詞データ格納サーバ３０６とからなる概略構成が示されている。
【００２９】
携帯端末機器３０１は、基地局３０２を中継して他の携帯端末機器（不図示）との間で無線通信を行い、さらに基地局３０２を経由してプロトコル変換器３０３において送受信信号のプロトコルを変換されることによって、インターネット網３０４に接続される。インターネット網３０４には、任意の端末と相互にインターネット通信を行うための複数のサーバ（不図示）が接続されているとともに、音楽データ配信のコンテンツを保持する音楽データ格納サーバ３０５が接続されていて、携帯端末機器３０１がこれにアクセスして所定の手続きを行うことによって、音楽データをダウンロードすることができる。
また、インターネット網３０４には、歌詞データ配信のコンテンツを保持する歌詞データ格納サーバ３０６が接続されていて、携帯端末機器３０１がこれにアクセスして所定の手続きを行うことによって、歌詞データをダウンロードすることができる。音楽データ格納サーバ３０５は、音楽会社等が提供する複数の音楽データのコンテンツを格納している。歌詞データ格納サーバ３０６は、音楽データ提供と同一の会社または別の会社が提供する複数の歌詞データのコンテンツを格納している。
【００３０】
以下、図４に示すフローチャートを参照して、この例の歌詞ダウンロード機能付き携帯端末装置における、音楽データのダウンロードに基づく歌詞データダウンロード時の動作を説明する。
【００３１】
歌詞ダウンロード機能付き携帯端末装置は、事前処理として、図１に示されたキー入力部１０２からのキー入力操作（ステップ４０１）によって、歌詞ダウンロード時において、所定の歌詞データ格納サーバ３０６から、自動的にダウンロードするか、またはダウンロードの要否の確認を行ってからダウンロードするかの設定を行う（ステップ４０２）。
この際、歌詞をダウンロードすべき歌詞データ格納サーバとして、必要に応じて複数の歌詞データサーバのアドレスを指定しておいてもよい。これは、音楽データ格納サーバと歌詞データ格納サーバとが１：１に対応しているとは限らず、第３者の会社等が、すべての歌詞データをまとめて保持しているような場合も考えられるからであって、そのため、事前設定によって、複数の歌詞データ格納サーバを指定しておき、曲名や歌手名等によってこれらを順次検索して、音楽データに対応する歌詞データを自動的に検出できるようにする。
【００３２】
次に、キー入力部１０２からのキー入力操作（ステップ４０３）によって、図３に示すインターネット網３０４に接続し、例えばホームページの曲名から選択して音楽ダウンロードを指定する（ステップ４０４）ことによって音楽データ格納サーバ３０５からの音楽のダウンロードが開始されて、ダウンロードされた音楽データは図２に示すメモリ２０３に保存される。ダウンロードした音楽データには、通常、曲名，歌手名等のデータは含まれているが、一般に、歌詞データは含まれていない。
音楽データのダウンロードが完了した（ステップ４０５）とき、入手した音楽データを一部解析して、音楽データ内の曲名，歌手名等の情報の取り出しの処理を行うことによって、これらの情報を取得して図１に示す表示部１０１において表示することができる（ステップ４０６）。
【００３３】
次に歌詞情報のダウンロード時の設定内容をチェックして（ステップ４０７）、事前設定（ステップ４０２）が「要確認」であった場合は、歌詞データのダウンロードを行うべきか否かの確認を求める情報が表示部１０１に表示されるので、キー入力部１０２からのキー入力操作（ステップ４０８）によって、歌詞データのダウンロードを行うべきか否かの決定を行い（ステップ４０９）、ダウンロードを行わない場合は、そのまま終了する（ステップ４１０）。
【００３４】
ダウンロードを行うべき場合、またはダウンロードの事前設定（ステップ４０２）が「自動」であった場合は、事前設定によって予め指定されていた歌詞データ格納サーバ３０６に対してアクセスすることによって、ダウンロードされた音楽データに対応する歌詞のダウンロードが行われる（ステップ４１１）。
なおこの際、複数の歌詞データ格納サーバが指定されていたときは、各歌詞データ格納サーバに対して自動的に順次、アクセスし、対象とする歌詞データがダウンロードされるまで、曲名，歌手名等に基づいて検索を続ける。所要の歌詞データのダウンロードが完了したとき（ステップ４１２）、歌詞ダウンロード動作が終了する。
【００３５】
図５においては、本実施例の歌詞データダウンロード機能付き携帯端末装置の、歌詞データダウンロード時における、ダウンロードの要否を確認するための表示部の表示例が示されている。
歌詞ダウンロードのための事前設定（図４ステップ４０２）が、ダウンロード要否の確認を条件とするものであった場合には、音楽データのダウンロード終了時、キー入力操作（図４ステップ４０８）に応じて、図５の表示部５０１に示すような、歌詞データをダウンロードすべきか否かの確認を求める表示が行われるので、 "はい" をクリックすることによって、歌詞データのダウンロードが行われ、 "いいえ" をクリックすることによって、歌詞データのダウンロードが行われることなく終了する。
【００３６】
図６においては、本実施例の歌詞データダウンロード機能付き携帯端末装置において、ダウンロードした音楽を聴いて曲を確認した後に、歌詞データのダウンロードを行う場合の手続きを動作フローチャートによって示している。
この場合は、音楽データのダウンロード完了（図４ステップ４０５）後直ちに、または後日、キー入力操作（ステップ６０１）によって、音楽プレーヤモードに移行する（ステップ６０２）。ユーザは音楽を聴いて曲の内容を確認してからキー入力操作（ステップ６０３）によって、歌詞をダウンロードしたい音楽データを選択（ステップ６０４）したのち、キー入力操作（ステップ６０５）によって機能メニューから歌詞ダウンロードを選択する（ステップ６０６）。
これによって、歌詞ダウンロード機能付き携帯端末装置は、インターネット網を介して歌詞データ格納サーバにアクセスして、歌詞データのダウンロードを開始する（ステップ６０７）。そして、歌詞データがダウンロードされたとき、歌詞ダウンロード動作を終了する（ステップ６０８）。
【００３７】
このように、この例の歌詞ダウンロード機能付き携帯端末装置では、音楽データのダウンロードによって自動的に、またはダウンロードの要否の確認に応じて、歌詞データのダウンロードが行われるので、ユーザは、音楽データと同時に歌詞データを入手することができ、音楽鑑賞時の利便さと快適性とが向上する。
【実施例２】
【００３８】
図７は、本発明の第２実施例である歌詞ダウンロード機能付き携帯端末装置のシステム構成例を示したものであって、携帯端末機器３０１と、基地局３０２と、プロトコル変換器３０３と、インターネット網３０４と、歌詞データ格納サーバ３０６と、映像データ格納サーバ３０７とからなる概略構成が示されている。
これらのうち、携帯端末機器３０１，基地局３０２，プロトコル変換器３０３，インターネット網３０４，歌詞データ格納サーバ３０６は、図３に示された第１実施例の場合と同様である。
【００３９】
映像データ格納サーバ３０７には、歌手のプロモーションビデオ等のような、映像データ配信のコンテンツが格納されていて、携帯端末機器３０１がアクセスして所定の手続きを行うことによって、映像データをダウンロードすることができる。また、映像データ提供と同一の会社または別の会社が提供する歌詞データ配信のコンテンツを含む歌詞データ格納サーバ３０６が接続されていて、携帯端末機器３０１がアクセスして所定の手続きを行うことによって、ダウンロードした映像データにおける歌手名，題名等から、映像中で歌われている音楽の歌詞をダウンロードすることができる。
【００４０】
この際、第１実施例の場合と同様に、映像データダウンロード前の事前設定によって、歌詞データ格納サーバからのダウンロードを自動的に行うか、または実行の要否の確認を行ってからダウンロードするかを選択可能にしてもよい。また、指定された歌詞データ格納サーバが複数からなり、関連情報に基づいて自動的に順次検索して、対応する歌詞データを検出してダウンロードしてもよい。また、映像データのダウンロード完了後直ちに、または後日、ダウンロードされた映像データを視聴して曲を確認した後に、歌詞データのダウンロードを行うか否かを選択可能にしてもよい。また、ダウンロードされた映像データを内部メモリに保存してもよく、またはダウンロードされた映像データを取り外し可能な外部メモリに保存してもよい。また、映像データ格納サーバと歌詞データ格納サーバとが、同一のサーバであってもよい。
【００４１】
このように、この例の歌詞ダウンロード機能付き携帯端末装置では、映像データのダウンロードによって自動的に、またはダウンロードの要否の確認に応じて、歌詞データのダウンロードが行われるので、ユーザは、映像データと同時に歌詞データを入手することができ、映像鑑賞時の利便さと快適性とが向上する。
【実施例３】
【００４２】
図８は、本発明の第３実施例であるプロフィールダウンロード機能付き携帯端末装置のシステム構成例を示したものであって、携帯端末機器３０１と、基地局３０２と、プロトコル変換器３０３と、インターネット網３０４と、音楽データ格納サーバ３０５と、プロフィールデータ格納サーバ３０８とからなる概略構成が示されている。これらのうち、携帯端末機器３０１，基地局３０２，プロトコル変換器３０３，インターネット網３０４，音楽データ格納サーバ３０５は、図３に示された第１実施例の場合と同様である。
【００４３】
プロフィールデータ格納サーバ３０８には、歌手のプロフィール情報や、ダウンロードした音楽データが収録されている収録アルバム等の関連情報が格納されていて、携帯端末機器３０１がアクセスして所定の手続きを行うことによって、音楽の曲名や歌手名等から歌手のプロフィール情報や、ダウンロードした音楽データを収録した収録アルバム等をダウンロードすることができる。
【００４４】
この際、第１実施例の場合と同様に、事前設定によって、音楽データ格納サーバからのダウンロードを自動的に行うか、または実行の要否の確認を行ってからダウンロードするかを選択可能にしてもよい。また、指定されたプロフィールデータ格納サーバが複数からなり、関連情報に基づいて自動的に順次検索して、対応するプロフィールデータを検出してダウンロードしてもよい。また、音楽データのダウンロード完了後直ちに、または後日、ダウンロードされた音楽を聴いて曲の内容を確認した後に、プロフィールデータのダウンロードを行うか否かを選択可能にしてもよい。また、ダウンロードされた音楽データを内部メモリに保存してもよく、またはダウンロードされた音楽データを取り外し可能な外部メモリに保存してもよい。また、音楽データ格納サーバとプロフィールデータ格納サーバとが、同一のサーバであってもよい。
【００４５】
このように、この例のプロフィールダウンロード機能付き携帯端末装置では、音楽データのダウンロードによって自動的に、またはダウンロードの要否の確認に応じて、プロフィールデータのダウンロードが行われるので、ユーザは、音楽データと同時にプロフィールデータを入手することができ、音楽鑑賞時の利便さと快適性とが向上する。
【００４６】
以上、この発明の実施例を図面により詳述してきたが、具体的な構成はこの実施例に限られるものではなく、この発明の要旨を逸脱しない範囲の設計の変更等があってもこの発明に含まれる。例えば第１実施例の場合、
１．携帯端末装置の外観形状として、図１では、折り畳み型のものを例示したが、これに限るものでなく、携帯端末装置の形状はどのようなものであってもよい。
２．また、音楽データの保存先は、図２に示されたメモリ２０３に限らず、取り外し可能な外部メモリ（不図示）の場合であってもよい。
３．また、音楽データ格納サーバ３０５と歌詞データ格納サーバ３０６とは、別個のものでなく、同一のサーバであってもよい。
【００４７】
４．また、音楽データのダウンロードに基づく歌詞データのダウンロードの場合に限らず、無線通信手段を介してインターネット網に接続可能な携帯端末装置であって、インターネット網を介して第１のデータ格納サーバにアクセスし第１の種類のデータをダウンロードして保持する第１のデータ取得手段と、ダウンロードされた第１の種類のデータの一部を解析して第１の種類のデータに含まれる関連情報を検出する関連情報検出手段と、インターネット網を介して予め指定されている第２のデータ格納サーバにアクセスし関連情報によって検索してダウンロードされた第１の種類のデータに対応する第２の種類のデータをダウンロードする第２のデータ取得手段とを備えたデータダウンロード機能付き携帯端末装置において、第１の種類のデータのダウンロードに基づいて第２の種類のデータのダウンロードを行う場合にも適用可能である。
【００４８】
この際、第１実施例の場合と同様に、事前設定によって、第１のデータ格納サーバからのダウンロードを自動的に行うか、または実行の要否の確認を行ってからダウンロードするかを選択可能にしてもよい。また、指定された第２のデータ格納サーバが複数からなり、関連情報に基づいて自動的に順次検索して、対応する第２の種類のデータを検出してダウンロードしてもよい。また、第１の種類のデータのダウンロード完了後直ちに、または後日、ダウンロードされた第１の種類のデータの内容を確認した後に、第２の種類のデータのダウンロードを行うか否かを選択可能にしてもよい。また、ダウンロードされた第１の種類のデータを内部メモリに保存してもよく、またはダウンロードされた第１の種類のデータを取り外し可能な外部メモリに保存してもよい。また、第１のデータ格納サーバと第２のデータ格納サーバとが、同一のサーバであってもよい。
【産業上の利用可能性】
【００４９】
この発明の歌詞ダウンロード機能付き携帯端末装置は、携帯電話機に適用して最も好適なものであるが、これに限るものでなく、各種携帯情報端末機器にも利用することが可能である。
【図面の簡単な説明】
【００５０】
【図１】本発明が適用される歌詞ダウンロード機能付き携帯端末装置の外観構成例を示す図である。
【図２】本発明が適用される歌詞ダウンロード機能付き携帯端末装置の電気的構成例を示すブロック図である。
【図３】本発明の第１実施例である歌詞ダウンロード機能付き携帯端末装置のシステム構成を示す図である。
【図４】同実施例の歌詞ダウンロード機能付き携帯端末装置の動作を説明するためのフローチャートである。
【図５】同実施例の歌詞データダウンロード機能付き携帯端末装置の、歌詞データダウンロード時における、ダウンロードの要否を確認するための表示部の表示例を示す図である。
【図６】同実施例の歌詞データダウンロード機能付き携帯端末装置において、ダウンロードした音楽を聴いて曲を確認した後に、歌詞データのダウンロードを行う場合の手続きを示す動作フローチャートである。
【図７】本発明の第２実施例である歌詞ダウンロード機能付き携帯端末装置のシステム構成例を示す図である。
【図８】本発明の第３実施例であるプロフィールダウンロード機能付き携帯端末装置のシステム構成例を示す図である。
【符号の説明】
【００５１】
１０１    表示部
１０２    キー入力部
２０２    ＣＰＵ
２０３    メモリ
２０４    表示部
２０５    キー入力部
３０１    携帯端末機器
３０２    基地局
３０３    プロトコル変換器
３０４    インターネット網
３０５    音楽データ格納サーバ
３０６    歌詞データ格納サーバ
３０７    映像データ格納サーバ
３０８    プロフィールデータ格納サーバ
【図１】
2007058103.tif 000003
【図２】
2007058103.tif 000004
【図３】
2007058103.tif 000005
【図４】
2007058103.tif 000006
【図５】
2007058103.tif 000007
【図６】
2007058103.tif 000008
【図７】
2007058103.tif 000009
【図８】
2007058103.tif 000010